(57)【要約】動きやすい襠を有する編地をさらに見た目も美しくできるようにする編地の編成方法を提供する。本発明は、筒状編地を少なくとも二つ編成し、これら筒状編地を前編地部と後編地部の接合領域のウェール数が異なるように重ね合わせて接合する編地の接合方法である。接合開始前に、対向するベッドに、前編地部の接合領域と後編地部の接合領域とを、襠の大きい接合領域のループが係止される編針の針数と襠の小さい接合領域のループが係止される編針の針数とが同じ針数の領域で、それぞれの接合領域両端部が対向するように、一方の襠の接合領域のループを針抜き状態で、他方の襠の接合領域のループを総針状態で編針に係止させる。その後に、伏目処理とループの重ね合わせにより接合部分に襠を形成していく。
2004094711.tif 000002
【特許請求の範囲】
【請求項１】
左右方向に延び、かつ前後に対向する少なくとも一対のベッドを具え、前記対向するベッドの少なくとも前後一方のベッドが左右にラッキング可能に構成される横編機で前編地部と後編地部がコース方向に連続して編成される筒状編地を少なくとも二つ編成し、これら筒状編地を前編地部と後編地部とで襠の大きさが異なる接合領域を重ね合わせて接合する編地の接合方法であって、
編地の接合工程において、
対向するベッドに、前編地部の接合領域と後編地部の接合領域とを、襠の大きい接合領域のループが係止される編針の針数と襠の小さい接合領域のループが係止される編針の針数とが同じ針数の領域で、それぞれの接合領域両端部が対向するように、一方の襠の接合領域のループを針抜き状態で、他方の襠の接合領域のループを総針状態で編針に係止させた後に、
接合する筒状編地の側端に位置する接合領域のループともう一方の筒状編地の接合領域のループを、前編地部と後編地部の境界から近い側のループ同士および遠い側のループ同士が重なるように重ね合わせて伏目処理して筒状編地の接合部分に襠を形成し、接合した筒状編地に続いて一つの筒状編地を編成することを特徴とする編地の接合方法。
【請求項２】
請求の範囲第１項に記載の編地の接合方法であって、第一編地と第二編地とを接合する場合において、第一編地と第二編地との接合開始前の工程が以下の工程を含むことを特徴とする。
１）第一編地の前編地または後編地のいずれか一方の接合領域のループを対向するベッドに目移しする第１工程。
２）前後何れか一方のベッドを左右何れかの方向へラッキングしながら、
第二編地について回し込み編成を行い、第一編地については第二編地から遠い端部のループを対向するベッドに目移しする回し込み編成を行いながら、第１工程で目移しされた接合領域のループを第二編地から遠い端部のループから順番に対向するベッドに戻す動作を繰り返して、第一編地の接合領域においてループを針抜き状態または総針状態で配置させる第２工程。
３）第二編地の前編地または後編地のうち第１工程で目移しした接合領域と同じ大きさの接合領域を有する編地において、接合領域のループを対向するベッドに目移しする第３工程。
４）前後何れか一方のベッドを前記第２工程とは逆方向にラッキングしながら、
第一編地について回し込み編成を行い、第二編地については第一編地から遠い端部のループを対向するベッドに目移しする回し込み編成を行いながら、第３工程で目移しされた接合領域のループを第一編地から遠い端部のループから順番に対向するベッドに戻す動作を繰り返して、第二編地の接合領域においてループを針抜き状態または総針状態で配置させる第４工程。
【請求項３】
請求の範囲第１項に記載の編地の接合方法であって、第一編地を挟んで第二編地と第三編地をそれぞれ編成し、第一編地に第二編地と第三編地とを接合する場合において、第一編地と第二編地と第三編地の接合開始前の工程が以下の工程を含むことを特徴とする。
１）第一編地の第二編地と接合される前後いずれか一方の接合領域のループを対向するベッドに目移しするとともに、第三編地における第一編地で目移しした接合領域と同じ襠の大きさの接合領域のループを対向するベッドに目移しする第１工程。
２）前後何れか一方のベッドを左右何れかの方向へラッキングしながら、
第二編地について回し込み編成を行い、第一編地および第三編地については第二編地から遠い端部のループを対向するベッドに目移しする回し込み編成を行いながら、第１工程で目移しされた接合領域のループを第二編地から遠い端部のループから順番に対向するベッドに戻す動作を繰り返して、第一編地および第三編地の接合領域においてループを針抜き状態または総針状態で配置させる第２工程。
３）第一編地の第三編地と接合される第１工程で目移しした接合領域と同じ大きさの接合領域のループを対向するベッドに目移しするとともに、第二編地における第一編地で目移しした接合領域と同じ襠の大きさの接合領域のループを対向するベッドに目移しする第３工程。
４）前後何れか一方のベッドを第２工程と逆方向にラッキングしながら、第三編地について回し込み編成を行い、第一編地および第二編地については第三編地から遠い端部のループを対向するベッドに目移しする回し込み編成を行いながら、
第３工程で目移しされた接合領域のループを第三編地から遠い端部のループから順番に対向するベッドに戻す動作を繰り返して、第一編地および第二編地の接合領域においてループを針抜き状態または総針状態で配置させる第４工程。
【発明の詳細な説明】
【技術分野】  本発明は筒状編地の接合箇所に襠を形成する編地の接合方法に関する。
【背景技術】  ニット製品のパーツ同士の接合箇所に襠と呼ばれる部分が形成される。襠は脇部や股下部等に形成され、襠をこれらの箇所に形成することで、平面的な編地により構成されるニット製品に厚みが形成され、体型に沿った着心地のよい製品となる。
本出願人は、すでに、接合されて襠が形成される一方の筒状編地が他方の編地に対し垂直となる状態よりも両編地間の間隔が広がる方向に大きな角度で回転させることのできる編地の接合方法を開発し提供している（国際公開第０１／８８２４３号パンフレットに示す）。
この接合方法は、接合する二つの筒状編地の双方に同じコースの襠部分を形成しておき、前編地部と後編地部との境界から近い側のループ同士および遠い側のループ同士が重なるように重ね合わせて伏目処理を行うことにより、筒状編地の接合部分に襠を形成する。
この襠を有する編地の接合方法により、身体の動きの自由度が高いニットウェアを提供できるようになった。
ところで、前記した接合方法については、人間の動きを考えると、例えばセーターの場合、前編地の方が後編地よりも襠を大きくする方が、ニットウェアとしての着心地がさらに良くなる。
前編地の襠を後編地よりも大きくするには、前身頃と前袖との接合領域となるウェール数を、後身頃と後袖との接合領域のウェール数よりも多くとる必要がある。
ところが、前後の接合領域のウェール数が異なるようにして、編地の接合を行うと、接合が完了した時点で、襠の少ない側の編地（後身頃）について、ベッドにおける身頃から遠い側の編目の一部が反対側のベッド（前ベッド）に回された状態になってしまう。
即ち、このように前後の接合領域に差がある襠を形成していくと、襠が大きい前編地部は、後編地部の編幅より狭くなっていく。そこで、前後のベッドに係止される編地の幅に差があまり出ないようにするため、後編地部のベッド上の側端ループを反対側のベッド上の側端ループの外側に移動させる回し込み編成を行う。
このように回し込み編成を行うと、襠を形成する前に後ベッドの身頃側から最も離れた針に係止されていたループが前ベッドに移ったままで接合が完了してしまうことになる。そこから身頃と両袖を一つの筒状に編成していくと、もともと後ベッドにあったループは前ベッドに移動したままその上にループが形成されることになる。
ここで、後ベッドにあったループが前ベッドに移されると、ループはねじられた状態で前ベッドの針に移される。その上にループが形成されるとループがねじられたままとなり好ましくない。特に、袖においては、ねじれたループが目に付く箇所に現れてしまい好ましくない。
そこで、ねじりを防止するために、第１８図に示すように、襠の形成が終わった時点で、袖については、後編地部の身頃から遠い側端部のループは後ベッドに、前編地の身頃から遠い側端部のループが前ベッドに戻るように、身頃と袖を接合する前に編地を回しておくことが行われる。
第１８図（ａ）は、脇までの編成が終了した状態を示し、点線で示す部分（３１１ａ，３１１ｂ，３１２ａ，３１２ｂ，３２１ａ，３２１ｂ，３３１ａ，３３１ｂ）が前後編地の接合領域を示している。第１８図の（ｂ）は、襠の形成を行うために袖について回し込み編成を行った状態を示している。
しかしながら、第１８図（ｂ）に示すように予め編地を回しておいて襠を形成する場合、接合領域を接合していく際に、前編地の接合においては、例えば前身頃３１ａの接合領域３１２ａと接合される左袖３３の接合領域は、第１８図（ａ）のときの後編地の接合領域３３１ｂと前編地の接合領域３３１ａとになる。
このような状態で接合した場合には、左右の袖３２，３３の前後編地部の境界部分が、身頃３１の前後編地部の境界部分よりも前側に位置ずれが生じてしまう。
そこで、本発明は、襠の接合開始時に前後編地部の境界となる端部のループが他方のベッドに回し込みされていないようにして、編みやすく、かつ、動きやすい襠を有する編地を編成することができる編地の編成方法を提供することを目的とする。
【発明の開示】
上記した課題を解決するため本発明の編地の接合方法は、左右方向に延び、かつ前後に対向する少なくとも一対のベッドを具え、前記対向するベッドの少なくとも前後一方のベッドが左右にラッキング可能に構成される横編機で前編地部と後編地部がコース方向に連続して編成される筒状編地を少なくとも二つ編成し、これら筒状編地を前編地部と後編地部とで襠の大きさが異なる接合領域を重ね合わせて接合する編地の接合方法である。
まず、編地の接合工程において、対向するベッドに、前編地部の接合領域と後編地部の接合領域とを、襠の大きい接合領域のループが係止される編針の針数と襠の小さい接合領域のループが係止される編針の針数とが同じ針数の領域で、それぞれの接合領域両端部が対向するように、一方の襠の接合領域のループを針抜き状態で、他方の襠の接合領域のループを総針状態で編針に係止させておく。
その後に、接合する筒状編地の側端に位置する接合領域の最終コースのループともう一方の筒状編地の接合領域の最終コースのループを、前編地部と後編地部の境界から近い側のループ同士および遠い側のループ同士が重なるように重ね合わせて伏目処理して筒状編地の接合部分に襠を形成し、接合した筒状編地に続いて一つの筒状編地を編成する。
さらに、第一編地と第二編地とを接合する場合における接合開始前の工程は、以下の工程で行なうことが好ましい。
１）第一編地の前編地または後編地のいずれか一方の接合領域のループを対向するベッドに目移しする第１工程。
２）前後何れか一方のベッドを左右何れかの方向へラッキングしながら、第二編地について回し込み編成を行い、第一編地については第二編地から遠い端部のループを対向するベッドに目移しする回し込み編成を行いながら、第１工程で目移しされた接合領域のループを第二編地から遠い端部のループから順番に対向するベッドに戻す動作を繰り返して、第一編地の接合領域においてループを針抜き状態または総針状態で配置させる第２工程。
３）第二編地の前編地または後編地のうち第１工程で目移しした接合領域と同じ大きさの接合領域を有する編地において、接合領域のループを対向するベッドに目移しする第３工程。
４）前後何れか一方のベッドを前記第２工程とは逆方向にラッキングしながら、
第一編地について回し込み編成を行い、第二編地については第一編地から遠い端部のループを対向するベッドに目移しする回し込み編成を行いながら、第３工程で目移しされた接合領域のループを第一編地から遠い端部のループから順番に対向するベッドに戻す動作を繰り返して、第二編地の接合領域においてループを針抜き状態または総針状態で配置させる第４工程。
また、第一編地を挟んで第二編地と第三編地をそれぞれ編成し、第一編地と第二編地、第一編地と第三編地を接合する場合における接合開始前の工程は以下の工程を含むことが好ましい。
１）第一編地の第二編地と接合される前後いずれか一方の接合領域のループを対向するベッドに目移しするとともに、第三編地における第一編地で目移しした接合領域と同じ襠の大きさの接合領域のループを対向するベッドに目移しする第１工程。
２）前後何れか一方のベッドを左右何れかの方向へラッキングしながら、
第二編地について回し込み編成を行い、第一編地および第三編地については第二編地から遠い端部のループを対向するベッドに目移しする回し込み編成を行いながら、第１工程で目移しされた接合領域のループを第二編地から遠い端部のループから順番に対向するベッドに戻す動作を繰り返して、第一編地および第三編地の接合領域においてループを針抜き状態または総針状態で配置させる第２工程。
３）第一編地の第三編地と接合される第１工程で目移しした接合領域と同じ大きさの接合領域のループを対向するベッドに目移しするとともに、第二編地における第一編地で目移しした接合領域と同じ襠の大きさの接合領域のループを対向するベッドに目移しする第３工程。
４）前後何れか一方のベッドを第２工程と逆方向にラッキングしながら、第三編地について回し込み編成を行い、第一編地および第二編地については第三編地から遠い端部のループを対向するベッドに目移しする回し込み編成を行いながら、
第３工程で目移しされた接合領域のループを第三編地から遠い端部のループから順番に対向するベッドに戻す動作を繰り返して、第一編地および第二編地の接合領域においてループを針抜き状態または総針状態で配置させる第４工程。
本発明の編地の接合方法は、接合開始前において、前編地部の接合領域と後編地部の接合領域について、襠の小さい接合領域については針抜きでループを針に係止させ、襠の大きい接合領域については総針でループを針に係止させるようにして（部分的に総針にする場合を含む）、対向するベッドの同じ数の針の領域に前後の接合領域のループを係止させることを特徴とする。その結果、接合開始時において、前編地部は常に前ベッドに、後編地部は常に後ベッドに分けて係止させることができる。
このように編成することにより、襠を有する編地の編成が行いやすく、さらに、外観、シルエットも良好なものなる。しかも、接合完了後において、前後の編地部の境界部分にループの捻りが生ずることなく、しかも、接合部分における前後の境界部分も第１８図に示すようにずれることなく、ほぼ一致させることができる。
また本発明の接合方法は、筒状編地がタイツやパンツなどの右足部と左足部である場合に適用することができるし、筒状編地がセーターの身頃と左右の袖である場合にも適用することができる。
セーターなどの身頃と袖を有する編地の場合は、前側編地の接合領域を大きくし、また、パンツの場合は、後側の編地の接合領域を大きくすることにより、動きやすいニットウェアを提供できる。
本発明の作用を説明する。例えば、本発明の筒状編地を４枚ベッドで編成する場合、本発明では少なくとも二つの筒状編地を編成する。そして、これら筒状編地を編地の接合工程において、まず、対向するベッドに、襠の大きい接合領域と襠の小さい接合領域とを、それぞれの接合領域両端部を対向させて付属させる。
例えば、筒状編地を総針で編成する場合には、襠の大きい接合領域では隣り合う針にループを係止させ、襠の小さい接合領域では、襠の大きい接合領域のループが係止される編針の針数と同じ針数の領域で、針抜き状態で編針に係止させておく。
また、筒状編地を針抜き編成する場合でも、襠の大きい接合領域では隣り合う針にループを係止させ、襠の小さい接合領域では、襠の大きい接合領域のループが係止される編針の針数と同じ針数の領域で、ループを針抜き状態で編針に係止させておく。
例えば、総針状態から襠の小さい接合領域を針抜きにする方法としては、襠の小さい接合領域のループを対向するベッドに目移ししておいて、ベッドのラッキング動作に伴って回し込みを行いながら針抜き状態にしていく。また、針抜き状態から襠の大きい接合領域を総針にする方法としては、襠の大きい接合領域のループを対向するベッドに目移ししておいて、ベッドのラッキング動作に伴って回し込みを行いながら総針の状態にしていく。
この回し込みの回転方向は、一方の筒状編地において接合領域を針抜きまたは総針状態する場合の回し込みの回転方向と、他方の筒状編地において接合領域を針抜きまたは総針状態にする場合の回し込みの回転方向とを逆にする。
このようにすることにより、一つの筒状編地について回し込みの回転が正逆回転されるので、接合開始前に、前編地部の両側端部のループを前ベッドに、後編地部の両側端部のループを後ベッドに位置させることができる。
４枚ベッド横編機を用いる場合、筒状編地を総針で編成しておいて、襠の小さい側の接合領域のループを針抜き状態となるように針に係止させて、襠の小さい側の接合領域を針抜き状態にして接合を開始する。
また、４枚ベッド横編機を用いる場合、筒状編地を針抜き編成により編成しておいて、襠の大きい側の接合領域のループを総針状態（針抜きにならない状態）となるように針に係止させて、襠の小さい側の接合領域を針抜き状態のまま接合を開始することもできる。
また、２枚ベッド横編機により本発明の接合方法を行う場合には、筒状編地を針抜き編成により編成する。この場合、襠の小さい側の接合領域のループは、２本置きの針抜きとした状態となるように針に係止させて接合を開始することができる。
そして、襠の小さい側の接合領域を針抜き状態にした後に、筒状編地を接合する。接合する筒状編地の側端に位置する接合領域のループともう一方の筒状編地の接合領域のループを、前編地部と後編地部の境界から近い側のループ同士および遠い側のループ同士が重なるように重ね合わせ伏目処理して接合する。
接合の一つの方法としては、接合される側の編地を一方の側端側から他端側に向かい伏目処理する編成と、もう一方の筒状編地の接合領域のループを側端のループから前編地部同士、後編地部同士が重なるように接合領域のループを重ねる編成を並行して行う。この接合方法では接合領域のループ同士を重ねる編成と、伏目処理する編成を並行して行い、前編地部の接合領域の接合と、後編地部の接合領域の接合を独立して行う。
また、もう一つの接合方法では、まず、接合する筒状編地を回し込み編成により反対方向に回転させ、双方の筒状編地の接合領域のループを同じ針ベッド上に係止させる。そして、接合される側の編地を一方の側端側から他端側に向かい伏目処理する編成を行いながら、もう一方の筒状編地の接合領域のループを側端のループから前編地部同士、後編地部同士が重なるように接合領域のループを重ねて接合する。
この接合方法では、接合領域のループ同士を重ねる編成と、伏目処理する編成を並行して行い、前編地部の接合領域の接合と、後編地部の接合領域の接合を一連に行う。
上記の接合方法により筒状編地を接合することで、接合される筒状編地の接合領域のループともう一方の筒状編地の接合領域のループが前編地部と後編地部の境界から近い側のループ同士および遠い側のループ同士が重なるように重ね合わされる。その結果、一方の筒状編地を他方の筒状編地に対し、襠を中心に両編地間の間隔が広がる方向に従来よりも大きな角度まで回転させることが可能となり、着用者の身体の動きに対する自由度が高く、着心地のよいニットウエアとなる。
【図面の簡単な説明】  第１図は、襠が形成されたセーターの展開図および編成工程図、
第２図は、第１図のセーター１の完成図、
第３図は、第３図（ａ）は第二実施例のパンツに襠を形成する編成ステップ図、第３図（ｂ），第３図（ｃ）は第一実施例のセーターに襠を形成する編成ステップ図、
第４図は、第一実施例による三つの編地の接合を示す編成コース図、
第５図は、第一実施例による三つの編地の接合を示す編成コース図、
第６図は、第一実施例による三つの編地の接合を示す編成コース図、
第７図は、第一実施例による三つの編地の接合を示す編成コース図、
第８図は、第一実施例による三つの編地の接合を示す編成コース図、
第９図は、第一実施例による三つの編地の接合を示す編成コース図、
第１０図は、第一実施例による三つの編地の接合を示す編成コース図、
第１１図な、第二実施例において二つの編地を接合して形成されるパンツを示す図、
第１２図は、第二実施例による二つの編地の接合を示す編成コース図、
第１３図は、第二実施例による二つの編地の接合を示す編成コース図、
第１４図は、第二実施例による二つの編地の接合を示す編成コース図、
第１５図は、第三実施例による三つの編地の接合を示す編成コース図、
第１６図は、第三実施例による三つの編地の接合を示す編成コース図、
第１７図は、第三実施例による三つの編地の接合を示す編成コース図、
第１８図は、従来の筒状編地（セーター）の接合を示す編成コース図の一部であり、接合が完了した状態を示す。
【発明を実施するための最良の形態】  次に本発明の好適な実施例を図面とともに詳細に説明する。以下の実施例１から実施例３ではいわゆる４枚ベッド横編機を用いて編地の編成を行っている。４枚ベッド横編機は、下部前ベッドと下部後ベッドの上に、下部ベッドと同ピッチで多数の編針が列設された上部前ベッドと上部後ベッドを備えている。
そして、前後下部ベッド間および対向する下部ベッドと上部ベッド間で目移しが可能になっている。本実施例では、後ベッドが前ベッドに対し相対的にラッキング可能な横編機を使用するものとする。
なお、実施例３は、筒状編地を針抜き編成により編成しておいて、襠の大きい側の接合領域のループを総針状態（針抜きにならない状態）となるように針に係止させ、襠の小さい側の接合領域は針抜き状態のままで接合を開始するようにしたものである。
第１図は、本実施例の編地の接合方法により脇部２ａ，２ｂに襠３ａ，３ｂが形成されたセーター１の展開図および編成工程図であり、第２図はセーター１の完成図である。第２図では、襠３ａ，３ｂ付近に袖４，５と身頃６のウェール方向を示している。本実施例は、身頃と袖の前編地側の接合領域（ウェール数）と、後編地側の接合領域（ウェール数）の大きさが異なる襠を有する編地の接合方法である。
セーター１は、身頃６の裾ゴム７および左右両袖４，５の袖口８，９から編成が開始され（ステップＡ）、脇部２ａ，２ｂで袖４，５と身頃６の接合を開始するまでの間は、それぞれ独立した筒状の編地として編成される（ステップＢ）。
袖４，５について、線Ｉ−ＯおよびＭ−Ｐまでの編成が完了すると接合工程に移る（ステップＣ）。接合工程では、右袖４のＩ−Ｈと身頃６のｉ−ｈを、左袖５のＭ−Ｌと身頃６のｍ−ｌを接合し、この接合により襠３ａ，３ｂが形成される。
本実施例では、右袖４のＩ−Ｈ、身頃６のｉ−ｈ、左袖５のＭ−Ｌ、身頃６のｍ−ｌが接合領域となる。さらに、第１図および第２図には示していないが、身頃と袖の前編地側の接合領域（ウェール数）は、後編地側の接合領域（ウェール数）よりも大きくとっている。
続いて左右の袖４，５と身頃６を一つの筒状の編地として編成しながら、袖４，５を身頃６側に移動させ、右袖４のＨ−Ｇと身頃のｈ−ｇを、左袖５のＬ−Ｋと身頃６のｌ−ｋを接合する（ステップＤ）。
ステップＤが終わると、右袖４のＧ−Ｆおよび左袖５のＫ−Ｊを身頃のｇ−ｆおよびｋ−ｊと接合する（ステップＥ）。このステップＥでは、袖４，５に対する給糸を終了し、身頃６を適宜コース編成する毎に袖４，５を身頃６側に移動させて袖４，５と身頃６を接合する。
袖４，５と身頃６の接合完了後、衿首用開口１０を形成した前身頃６ａと後身頃６ｂを左右の肩部１１ａ，１１ｂで接合しセーター１が完成する。以下接合工程で袖４，５と身頃６を接合して襠３ａ，３ｂを形成する実施例１として説明し、パンツの右足部と左足部との接合部分に襠を形成する場合を実施例２として説明する。なお、接合工程以外の編成は公知であるため、接合工程における編成のみを示す。
さらに、本発明は、二つの編地を接合する場合と三つの編地を接合する場合で編成が異なり、第３図を使用しそれぞれの編成方法の概略を説明する。第３図のａは二つの編地、第３図のｂとｃは三つの編地を接合する編成を示す。
二つの編地の接合では、第一編地２１の前部分２１ａを第二編地２２の前部分２２ａ側に移動させて行う編成▲１▼と、第二編地２２の後部分２２ｂを第一編地２１の後部分２１ｂ側に移動させる編成▲２▼を行って襠３ａ，３ｂを形成する。編成▲１▼と編成▲２▼は同時に行っても順番に行ってもよい。編成▲１▼と▲２▼を同時に行えばベッドのラッキング回数が少なく済み効率的な編成を行うことができる。
特に、本実施例では、前編地の接合領域と後編地の接合領域の大きさが異なっても、接合開始前に、ベッド上での前後の接合領域が同じ大きさになるように、襠の小さい接合領域のループを針抜きにベッドの針に係止させることにより、前編地部と後編地部の接合領域における総針数の差を解消しているので、編成▲１▼と編成▲２▼を同時に行える。
また、三つの編地の接合では、例えば、第３図のｂに示すように、まず、第二編地３２の後部分３２ｂを第一編地３１の後部分３１ｂ側に移動させて行う編成▲１▼と、第三編地３３の前部分３３ａを第一編地３１の前部分３１ａ側に移動させて行う編成▲２▼を行う。
次に、第３図のｃに示すように、第二編地３２の前部分３２ａを第一編地３１の前部分３１ａ側に移動させて行う編成▲３▼と、第三編地３３の後部分３３ｂを第一編地３１の後部分３１ｂ側に移動させて行う編成▲４▼を行う。これら編成▲１▼〜▲４▼を行うことにより襠３ａ，３ｂを形成する。
なお、編成▲１▼〜▲４▼は第３図に示すように、▲１▼と▲２▼および▲３▼と▲４▼を並行して行ってもよいし、編成▲１▼〜▲４▼を自由な順番で行うこともできる。編成▲１▼と▲２▼を並行して先に行い、続いて▲３▼と▲４▼を並行して行う場合、或いはその逆に▲３▼と▲４▼を先に行い、続いて▲１▼と▲２▼を行った場合にはベッドのラッキング回数が少なくて済み効率的な編成を行える。
三つの編地の接合の場合も、前編地の接合領域と後編地の接合領域の大きさが異なっても、接合開始前に、ベッド上での前後の接合領域が同じ大きさになるように、襠の小さい接合領域のループを針抜きにベッドの針に係止させることにより、前編地部と後編地部の接合領域における総針数の差を解消することができる。
以下、三つの編地を接合する接合方法として身頃と袖を有するセーターについて第一実施例で、二つの編地を接合する接合方法としてパンツについて第二実施例で説明する。
＜第一実施例＞
三つの筒状編地を接合して第１図のセーター１に襠３ａ，３ｂを形成する編成を第４図〜１０の編成コース図を使用して説明する。第一実施例のセーターは、前編地の襠量が後編地の襠量よりも多くなるように、具体的には、前編地の襠量がウェール８本分、後編地の襠量がウェール４本分となる場合である。
そして本実施例は、襠を形成するために、身頃６の編地を一方の側端側から他端側に向かい伏目処理する編成と、身頃６の右脇側の接合領域のループに右袖４の編地の接合領域のループとを側端のループから前編地部同士、後編地部同士が重なるように重ねる編成と、身頃６の左脇側の接合領域のループに左袖５の編地の接合領域のループとを側端のループから前編地部同士、後編地部同士が重なるように重ねる編成とを並行して行う。
さらに、第一実施例では接合領域のループ同士を重ねる編成と、伏目処理する編成を並行して行うが、前編地部の接合領域の接合と、後編地部の接合は独立して行う。即ち、本実施例では上記第３図のｂ、ｃの編成▲１▼と▲２▼を並行して先に行い、続いて▲３▼と▲４▼を並行して行う。
第４図から第１０図の左端の数字はステップ番号を示し、ＦＵは前上部ベッド、ＦＤは前下部ベッド、ＢＤは後下部ベッド、ＢＵは後上部ベッドを意味する。
第４図に示すステップ１は、襠３ａ，３ｂの形成開始前の状態を示している。左側の鎖線３ａで囲んだループが襠３ａを形成する接合領域のループであり、右側の鎖線３ｂで囲んだループが襠３ｂを形成するループである。
ステップ１で示す襠３ａ，３ｂは、後ベッドに係止される後編地の接合領域のループの一部が最終的に前編地の襠として用いられる。そして、後編地の接合領域が少ないので、前編地の接合領域に用いられる針の数に合わせるように、次のステップで後ベッドにおいて、襠の小さい接合領域については、針抜きでループを係止させるようにループを移動させていく。
まず、ステップ２において、身頃６の後編地における右袖側の接合領域のループを前上部ベッドＦＵに目移しするとともに、左袖５の後編地における接合領域のループを前上部ベッドＦＵに目移しする。
ステップ３では、後ベッドを右に１ピッチラッキングさせて、右袖４については、後編地の身頃側端部のループを前下部ベッドＦＤの前編地の側端部のループの横に目移しし、前編地の外側端部のループを後下部ベッドＢＤの後編地の側端部のループの横に目移しして回し込み編成を行う。
さらに、身頃６と左袖５については、それぞれ第４図において右側端部のループを前下部ベッドＦＤの前編地の側端部のループの横に目移しして回し込み編成を行いながら、前上部ベッドＦＵに係止されている接合領域のループのうち右袖４から遠い側端部のループを一目だけ後下部ベッドＢＤに戻す動作を行う。
ステップ４では、後ベッドを右に１ピッチラッキングさせて、身頃６と左袖５について、それぞれ前上部ベッドＦＵに係止されている接合領域のループのうち右袖４から遠い側端部のループを一目だけ後下部ベッドＢＤに戻す。ステップ５は、ステップ３と同じ動作である。
そして、接合領域のループの数が多い場合には、ステップ４からステップ５のラッキングと目移しの動作を繰り返す。ステップ４からステップ５のラッキングと目移しの動作により、襠の小さい身頃６の後編地の右袖側の接合領域と左袖５の後編地の接合領域のループは１針抜きで針に係止された状態となる。
そして、ステップ６において、後ベッドを右に１ピッチラッキングさせて、前上部ベッドＦＵに係止されている残りのループを後下部ベッドＢＤに戻す。次に、身頃６の左袖側接合領域と、右袖４の接合領域について、前記したステップ２からステップ６と同じラッキングと目移しの動作を行う（ステップ７からステップ１１）。この場合、ラッキングの方向は、ステップ２からステップ６までとは逆向きとなる。
ステップ１１の状態で、襠の小さい身頃６の後編地の左袖側の接合領域と右袖４の後編地の接合領域のループも１針抜きで針に係止された状態となり、点線３ａ，３ｂで示す枠内がそれぞれの接合領域となる。ステップ１１に示すように、後編地の接合領域となるループ数（ウェール数）は、前編地の接合領域となるループ数（ウェール数）より４つ少ない状態となる。
このように、後編地側の接合領域となるループ数は少ないが、筒状編地は、ベッド上において、前後の長さがほぼ対称となるように配置することができる。そして、右袖４および左袖５の身頃とは反対側の端部のループが、対向するベッドに回し込まれず、これら端部のループは、前記ステップ１の状態と同じになる。
本実施例では、各袖の身頃とは反対側の端部のループを、ステップ１と同じ状態で前後の編地部の端に位置させたままを維持できる。そのため、従来のようにループが回し込みされた状態にならないので、ループの捩れは発生しない。したがって、接合を開始する前であっても、袖にループを形成していくことができる。このように、接合開始前に新たにループ、例えば１コース編成を行うことができれば、接合開始前に重ね目が形成されていたとしても、その重ね目を針から外し、これら重ね目に続けて新たにループを形成することができる。このように新たに形成されたループにより目移しを行うことができるようになるので編成がしやすくなる。
そして、この状態から襠３ａ，３ｂを形成していく。まず、ステップ１２からステップ１５では、袖と身頃との重ね目による接合を行う。ステップ１２では、右前袖４ａを後上部ベッドＢＵに移し、同時に左後袖５ｂを前上部ベッドＦＵに目移しする。ステップ１３では後ベッドを右に２ピッチラッキングさせた後、右前袖４ａを前下部ベッドＦＤに移し、同時に左後袖５ｂを後下部ベッドＢＤに目移しする。この目移しにより、袖の側端部における二つのループが身頃の側端部の二つのループに重ね合わされる（ループ６１，６２）。
ステップ１４では、右後袖４ｂを前上部ベッドＦＵに移し、同時に左前袖５ａを後上部ベッドＢＵに目移しする。ステップ１５では後ベッドを左に２ピッチラッキングさせた後、右後袖４ｂを後下部ベッドＢＤに移し、同時に左前袖５ａを前下部ベッドＦＤに目移しする。この目移しにより、袖の側端部における二つのループが身頃の側端部の二つのループに重ね合わされる（ループ６３，６４）。
そして、図示していないが、右袖側の４つの二重ループ６１，６３が係止される針に身頃編成用に用いていた給糸口（ヤーンフィーダ）から給糸してループ６１，６３に続く新たなループを形成し、左袖側の４つの二重ループ６２，６４が係止される針に左袖編成用に用いていた給糸口から給糸してループ６２，６４に続く新たなループを形成する。
なお、本実施例では、伏目処理は左右の襠形成領域において、それぞれ異なる給糸口（ヤーンフィーダ）を用いて行う。但し、この給糸口については編成図では省略している。
そして、ステップ１６により、右後袖４ｂとその横に形成された二つの新しいループ６５ａ，６５ｂとを前上部ベッドＦＵに移し、同時に左前袖５ａとその横に形成された二つの新しいループ６６ａ，６６ｂとを後上部ベッドＢＵに目移しする。
ステップ１７では、後ベッドを左に１ピッチラッキングさせた後、前上部ベッドＦＵに係止されているループ６５ａ，６５ｂを後下部ベッドＢＤに移し、後上部ベッドＢＵに係止されているループ６６ａ，６６ｂを前下部ベッドＦＤに目移しする。ループ６６ａの目移しにより二重ループ６７が形成される。
ステップ１８では、後下部ベッドＢＤのループ６５ａに続く新たなループ６８ａを形成し、前下部ベッドＦＤのループ６７，６６ｂに続く新たなループ６８ｂ，６８ｃを形成する。ステップ１９では、さらに、後ベッドを左に１ピッチラッキングさせた後、左前袖５ａの身頃側端部のループを前下部ベッドＦＤに目移しする。この目移しにより二重ループ６９が形成される。
ステップ２０では、後下部ベッドＢＤのループ６５ｂに続く新たなループ７０ａを形成し、前下部ベッドＦＤのループ６８ｂ，６９に続く新たなループ７０ｂ，７０ｃを形成する。
そして、ステップ２１では、後下部ベッドＢＤに係止されているループ７０ａ，６８ａを前上部ベッドＦＵに目移し、前下部ベッドＦＤに係止されているループ７０ｂ，７０ｃを後上部ベッドＢＵに目移しする。
ステップ２２では、後ベッドを左に１ピッチラッキングさせた後、前上部ベッドＦＵに係止されているループ７０ａ，６８ａを後下部ベッドＢＤに移し、後上部ベッドＢＵに係止されているループ７０ｂ，７０ｃを前下部ベッドＦＤに目移しする。ここで、ループ６８ａの目移しにより二重ループ７１になり、ループ７０ｂの目移しにより二重ループ７２となる。
そして、ステップ２３により、ループ７１を係止する針に一方の給糸口から給糸してループ７１に続く新たなループ７３を形成し、ループ７２，７０ｃを係止する針に他方の給糸口から給糸してループ７２，７０ｃに続く新たなループ７４，７５を形成する。
ステップ２４では、後ベッドを左に１ピッチラッキングさせた後、前上部ベッドＦＵに係止されている右端のループを後下部ベッドＢＤに移しループ７０ａに重ね合わせる（ループ７６）。また、後上部ベッドＢＵに係止されている左端のループを前下部ベッドＦＤに目移して、ループ７５に重ね合わせる（ループ７７）。
そして、ステップ２５により、ループ７６を係止する針に一方の給糸口から給糸してループ７６に続く新たなループ７８を形成し、ループ７４，７７を係止する針に他方の給糸口から給糸してループ７４，７７に続く新たなループ７９，８０を形成する。
そして、ステップ２６において、後下部ベッドＢＤに係止されているループ７８，７３を前上部ベッドＦＵに目移し、前下部ベッドＦＤに係止されているループ７９，８０を後上部ベッドＢＵに目移しする。
ステップ１７からステップ２６の動作を繰り返していき、接合領域のループがなくなったとき、ステップ２７に示すように、前上部ベッドＦＵに係止されている右袖４の後編地４ｂと後上部ベッドＢＵに係止されている左袖５の前編地５ａとを後下部ベッドＢＤと前下部ベッドＦＤに移す。
これまでの動作で、右袖４の後編地４ｂと身頃６の後編地６ｂとの接合および左袖５の前編地５ａと身頃６の前編地６ａとの接合と身頃の伏目処理が並行して行われる。
次に、ステップ２８からステップ３９において、右袖４の前編地４ａと身頃６の前編地６ａとの接合および左袖５の後編地５ｂと身頃６の後編地６ｂとの接合と身頃の伏目処理を行う。
ステップ２８では、右前袖４ａと前身頃６ａの右袖側端部の２ループを後上部ベッドＢＵに移し、同時に左後袖５ｂと後身頃６ｂの左袖側端部の２ループを前上部ベッドＦＵに目移しする。
ステップ２９では、後ベッドを右に１ピッチラッキングさせた後、後上部ベッドＢＵに係止されている前身頃６ａの右袖側端部の２ループを前下部ベッドＦＤに移す（ループ８１，８２）。前上部ベッドＦＵに係止されている後身頃６ｂの左袖側端部の２ループを後下部ベッドＢＤに目移しする（ループ８３，８４）。これらループのうち、ループ８２は二重ループが形成される。ステップ３０では、前下部ベッドＦＤのループ８１，８２に続く新たなループ８５ａ，８５ｂを形成し、後下部ベッドＢＤのループ８３に続く新たなループ８５ｃを形成する。
ステップ３１では、さらに、後ベッドを右に１ピッチラッキングさせた後、右前袖４ａの身頃側端部のループを前下部ベッドＦＤに目移しする。この目移しにより二重ループ８６が形成される。ステップ３２では、前下部ベッドＦＤのループ８６，８５ｂに続く新たなループ８７ａ，８７ｂを形成し、後下部ベッドＢＤのループ８４に続く新たなループ８７ｃを形成する。
そして、ステップ３３では、前下部ベッドＦＤに係止されているループ８７ａ，８７ｂを後上部ベッドＢＵに目移し、後下部ベッドＢＤに係止されているループ８５ｃ，８７ｃを前上部ベッドＦＵに目移しする。
ステップ３４では、後ベッドを右に１ピッチラッキングさせた後、後上部ベッドＢＵに係止されているループ８７ａ，８７ｂを前下部ベッドＦＤに移し、前上部ベッドＦＵに係止されているループ８５ｃ，８７ｃを後下部ベッドＢＤに目移しする。ここで、ループ８７ｂの目移しにより二重ループ８８になり、ループ８５ｃの目移しにより二重ループ８９となる。
そして、ステップ３５により、前下部ベッドＦＤのループ８７ａ，８８に続く新たなループ９０ａ，９０ｂを形成し、後下部ベッドＢＤのループ８９に続く新たなループ９０ｃを形成する。
ステップ３６では、後ベッドを右に１ピッチラッキングさせた後、後上部ベッドＢＵに係止されている右端のループを前下部ベッドＦＤに移しループ９０ａに重ね合わせる（ループ９１）。また、前上部ベッドＦＵに係止されている左端のループを後下部ベッドＢＤに目移して、ループ８７ｃに重ね合わせる（ループ９２）。
そして、ステップ３７により、前下部ベッドＦＤのループ９１，９０ｂに続く新たなループ９３ａ，９３ｂを形成し、後下部ベッドＢＤのループ９２に続く新たなループ９３ｃを形成する。
そして、ステップ３８において、前下部ベッドＦＤに係止されているループ９３ａ，９３ｂを後上部ベッドＢＵに目移し、後下部ベッドＢＤに係止されているループ９０ｃ，９３ｃを前上部ベッドＦＵに目移しする。
ステップ２９からステップ３８の動作を繰り返していき、接合領域のループがなくなったとき、ステップ３９に示すように、後上部ベッドＢＵに係止されている右袖４の前編地４ａと前上部ベッドＦＵに係止されている左袖５の後編地５ｂとを前下部ベッドＦＤと後下部ベッドＢＤに移す。
ステップ２７からステップ３９の動作により、右袖４の前編地４ａと身頃６の前編地６ａとの接合および左袖５の後編地５ｂと身頃６の後編地６ｂとの接合と身頃の伏目処理が並行して行われる。そして、接合が完了するとステップ３９の状態となり、襠の形成が完了する。
＜第二実施例＞
以下第１１図に示すパンツ４１を編成する場合を例に二つの編地を接合する編成を、第１２図〜第１４図の編成コース図を使用して説明する。なお、本実施例では上記第３図のａの編成▲１▼と▲２▼を並行して行う場合を説明する。パンツ４１は右足部４２と左足部４３と、胴部分４４からなり、右足部４２と左足部４３の接合箇所に襠４５ａ，４５ｂが形成される。さらに、第二実施例は、第一実施例と異なり、針抜き形成後にループの重ね（第一実施例のステップ１２〜ステップ１５）を行わずにすぐに襠の形成が開始される。
右足部４２は第３図のａにおいて左足部４３が第一編地２１に、右足部４２が第二編地２２に対応する。第１２図のステップ１は、襠の形成開始前であり右足部４２と左足部４３が隣接している。鎖線４５で囲んだループが襠を形成する接合領域全体のループである。
第１２図〜第１４図の左端の数字はステップ番号を示し、ＦＵは前上部ベッド、ＦＤは前下部ベッド、ＢＤは後下部ベッド、ＢＵは後上部ベッドを意味する。
ステップ１で示す襠は、後ベッドに係止される後編地のループの一部が最終的に前編地の襠として用いられる。そして、後編地の接合領域が少ないので、前編地の接合領域に用いられる針の数に合わせるように、次のステップで後ベッドにおいて、針抜きでループを係止させるようにループを移動させていく。
まず、ステップ２において、左足部４３の後編地における接合領域のループを前上部ベッドＦＵに目移しする。
ステップ３では、後ベッドを右に１ピッチラッキングさせて、右足部４２については、後編地の左足部側端部のループを前下部ベッドＦＤに目移しし、前編地の外側端部のループを後下部ベッドＢＤに目移しして回し込み編成を行う。さらに、左足部４３については、第１２図において右側端部のループを前下部ベッドＦＤに目移して回し込み編成をしながら、前上部ベッドＦＵに係止されている接合領域の右足側から遠い端部のループを一目だけ後下部ベッドＢＤに戻す。
ステップ４では、後ベッドを右に１ピッチラッキングさせて、左足部４３について、前上部ベッドＦＵに係止されている接合領域のループのうち右足部４２から遠い側端部のループを一目だけ後下部ベッドＢＤに戻す。
そして、接合領域のループの数が多い場合には、ステップ４からステップ５のラッキングと目移しの動作を繰り返す。ステップ４からステップ５のラッキングと目移しの動作により、左足部４３の後編地の接合領域のループは１針抜きで針に係止された状態となる。
そして、ステップ６において、ラッキングを１ピッチして前上部ベッドＦＵに係止されている残りのループを後下部ベッドＢＤに戻す。
次に、右足部４２の接合領域について、前記したステップ２からステップ６と同じラッキングと目移しの動作を行う（ステップ７からステップ１１）。この場合、ラッキングの方向は、ステップ２からステップ６までとは逆向きとなる。
ステップ１１の状態で、点線で示す枠４５１内が前編地側の接合領域となり、枠４５２内が後編地側の接合領域となる。ステップ１１に示すように、後編地の接合領域となるループ数（ウェール数）は、前編地の接合領域となるループ数（ウェール数）より４つ少ない状態となる。
このように、後編地側の接合領域となるループ数は少ないが、筒状編地は、ベッド上において、前後の長さがほぼ対称となるように配置することができる。そして、右足部４２と左足部４３の外側端部のループは、対向するベッドに回し込まれず、これら端部のループは、前記ステップ１の状態と同じになる。
本実施例では、右足部４２と左足部４３の前後の編地の端部のループがそれぞれのベッドにおいて端に位置させたままを維持できる。その結果、ループの捩れが起きないことから、接合を開始する前であっても、右足部４２と左足部４３にループを形成していくことができる。
そして、この状態から襠を形成していく。第１３図に示すステップ１２では、左前足部４３ａのループを後上部ベッドＢＵに目移しするとともに、右足部４２の左足部４３側側端ループを残して右後足部４２ｂのループを前上部ベッドＦＵに目移しする。
ステップ１３では、後ベッドを左に１ピッチラッキングし右前足部４２ａの左足部４３側側端ループ４６を後上部ベッドＢＵ上の左前足部４３ａの右足部４２側側端ループと重ねて重ね目４８を形成する。
ステップ１４では更に後ベッドを左に１ピッチラッキングし、前記重ね目４８を前下部ベッドＦＤに移して右足部４２の左足部４３側側端ループと重ねて３重ループ４９を形成する。
ステップ１５では、後ベッドを右に１ピッチラッキングし、後下部ベッドＢＤに係止されていた右後足部４２ｂの左足部４３側側端ループ４７を前上部ベッドＦＵに移して重ね目５０を形成する。
ステップ１６では、後ベッドを左に１ピッチラッキングし、前記重ね目５０を後下部ベッＢＤドに係止されている左後足部４３ｂの右足部４２側側端ループ５１と重ねて３重ループ５２を形成する。
そして、ステップ１７において、前記３重ループ４９に続く新たなループ５３を形成し、ステップ１８において、前記３重ループ５２に続く新たなループ５４を形成する。
ステップ１９からステップ３０では、ステップ１３からステップ１８と同様の編成を対象となるループについて行う。ステップ３０では、右前足部４２ａの右端部のループが三重ループ５９となり、後下部ベッドＢＤに係止されているループを前上部ベッドＦＵに目移しして、二重ループ６０を形成する。
ステップ３１では、ステップ３０で形成された二重ループ６０とともに前上部ベッドＦＵに係止されている右後足部４２ｂのループの全てを後下部ベッドＢＤに目移しする。さらに、後上部ベッドＢＵに係止されている左前足部４３ａのループの全てを前下部ベッドＦＤに目移しする。こうして、ステップ３１に示すように、右足部４２と左足部４３の接合が完了し、襠４５ａ，４５ｂが形成される。上記編成により形成された襠４５ａ，４５ｂは、左前足部４３ａを右前足部４２ａのループと重ねることで前側に襠４５ａが、右後足部４２ｂを左後足部４３ｂのループと重ねることで後側に襠４５ｂが形成される。本実施例では、前編地側の襠を大きくしたが、後編地の襠を大きくするようにしてもよい。
＜第三実施例＞
第三実施例は、４枚ベッド横編機を用いて筒状編地を針抜き編成により編成しながら三つの筒状編地を接合して第１図のセーター１を形成する。第三実施例では、襠の大きい側の接合領域のループを総針状態となるように針に係止させてから襠を形成した。
第１５図から第１７図に示す編成コース図は、三つの筒状編地を脇まで編成した状態から、接合開始前までの編成工程を示す。第三実施例のセーターも、前編地の襠量が後編地の襠量よりも多くなるようにしている。
本実施例の第１５図から第１７図も、左端の数字はステップ番号を示している。なお、本実施例のセーターは、４枚ベッド横編機を用いて編成を行うが、編成工程図においては、前上部ベッドと後上部ベッドとを省略しており、前下部ベッドはＦＤで示し、後下部ベッドはＢＤで示している。
第１５図に示すステップ１は、袖４，５と身頃６とを接合する前の状態を示しており、各筒状編地は前後のベッドにおいて針抜きで編成されている。ステップ１において、鎖線３０で囲んだループが襠を形成するための接合領域のループである。
本実施例では、後ベッドに係止される後編地の接合領域のループの一部が最終的に前編地の襠として用いられる。そして、後編地の接合領域が少ないので、襠の大きい接合領域について総針状態となるようにループを針に係止させるように接合領域のループを移動させていく。
まず、ステップ２において、身頃６の前編地６ａにおける右袖側の接合領域のループを後下部ベッドＢＤの空針に目移しするとともに、左袖５の前編地５ａにおける接合領域のループを後下部ベッドＢＤの空針に目移しする。
ステップ３では、後ベッドを右に１ピッチラッキングさせて、右袖４については、後編地の身頃側端部のループを前下部ベッドＦＤの前編地の側端部のループの横に目移しし、前編地の外側端部のループを後下部ベッドＢＤの後編地の側端部のループの横に目移しして回し込み編成を行う。
さらに、身頃６と左袖５については、後下部ベッドＢＤに係止されている接合領域のループのうち右袖４から遠い側端部のループを一目だけ前下部ベッドＦＤに戻し、身頃６の左袖側端部のループは、前下部ベッドＦＤの前編地の側端部のループの横に目移して回し込み編成を行う。
ステップ４では、後ベッドを右に１ピッチラッキングさせて、身頃６と左袖５について、それぞれ後下部ベッドＢＤに係止されている接合領域のループのうち右袖４から遠い側端部のループを一目だけ前下部ベッドＦＤに戻す。
ステップ５では、後ベッドを右に１ピッチラッキングさせて、身頃６と左袖５について、それぞれ後下部ベッドＢＤに係止されている接合領域のループのうち右袖４から遠い側端部のループを一目だけ前下部ベッドＦＤに戻す。左袖５の後編地の身頃から遠い側端部のループを前下部ベッドＦＤの前編地の側端部のループの横に目移して回し込み編成を行う。
ステップ６では、後ベッドを右に１ピッチラッキングさせて、身頃６と左袖５について、それぞれ後下部ベッドＢＤに係止されている接合領域のループのうち右袖４から遠い側端部のループを一目だけ前下部ベッドＦＤに戻す。右袖４の後編地の身頃側端部のループを前下部ベッドＦＤの前編地の側端部のループの横に目移して回し込み編成を行う。
ステップ７は、ステップ４と同じ動作を行う。本実施例よりも前後の接合領域が大きい場合には、ステップ１の接合領域３０において前編地側の接合領域となっているループがなくなるまで、ステップ３からステップ７の動作を繰り返す。そして、ステップ８では、後ベッドを左に２ピッチラッキングさせて、身頃６と左袖５について、それぞれ後下部ベッドＢＤに係止されている右袖側端部のループを一目だけ前下部ベッドＦＤに目移しする。
ステップ９は、後ベッドを右に１ピッチラッキングさせて、身頃６の前編地６ａにおける左袖側の接合領域のループを後下部ベッドＢＤの空針に目移しするとともに、右袖４の前編地４ａにおける接合領域のループを後下部ベッドＢＤの空針に目移しする。
そして、身頃６の左袖側接合領域と、右袖４の接合領域について、前記したステップ２からステップ７と同じようなラッキングと目移しの動作を行う（ステップ１０からステップ１４）。この場合、ラッキングの方向は、ステップ２からステップ７までとは逆向きとなる。
そして、ステップ１５では、後ベッドを左に１ピッチラッキングさせて、身頃６と右袖４について、それぞれ後下部ベッドＢＤに係止されている右袖側端部の二つのループを前下部ベッドＦＤに目移しする。
ステップ１６の状態で、襠の大きい身頃６の前編地６ａの接合領域と左右の袖４，５の前編地４ａ，５ａの接合領域３０１ａ，３０１ｂのループが針抜きとならない総針状態で針に係止された状態となる。そして、襠の小さい接合領域３０２ａ，３０２ｂは針抜き状態のままとなる。なお、ステップ１６の状態から１コース新たに編成を行うことが好ましい。
このように、筒状編地を針抜きで編成する場合にも、後編地側の接合領域となるループ数は少ないが、筒状編地は、ベッド上において、前後の長さがほぼ対称となるように配置することができる。そして、右袖４および左袖５の身頃とは反対側の端部のループは、対向するベッドに回し込まれず、これら端部のループは、前記ステップ１の状態と同じになる。
本実施例も、各袖の身頃とは反対側の端部のループを、ステップ１と同じ状態で前後の編地部の端に位置させたままを維持できる。そのため、従来のようにループが回し込みされた状態にならないので、ループの捩れは発生しない。したがって、接合を開始する前であっても、袖にループを形成していくことができる。
したがって、ステップ１６の状態から１コース新たに編成を行う場合には、新たに形成されたループにより目移しを行うことができるようになるので編成がしやすくなる。
そして、この状態から第一実施形と同様に襠を形成していく。本実施例も、襠を形成するために、身頃６の編地を一方の側端側から他端側に向かい伏目処理する編成と、身頃６の右脇側の接合領域のループに右袖４の編地の接合領域のループとを側端のループから前編地部同士、後編地部同士が重なるように重ねる編成と、身頃６の左脇側の接合領域のループに左袖５の編地の接合領域のループとを側端のループから前編地部同士、後編地部同士が重なるように重ねる編成とを並行して行う。
さらに、第三実施例でも接合領域のループ同士を重ねる編成と、伏目処理する編成を並行して行うが、前編地部の接合領域の接合と、後編地部の接合は独立して行う。即ち、本実施例では上記第３図のｂ、ｃの編成▲１▼と▲２▼を並行して先に行い、続いて▲３▼と▲４▼を並行して行う。
なお、第三実施例のように、筒状編地を針抜きで編成しておいて、襠の大きい接合領域を総針状態にしていく接合方法についは、第二実施例のようなパンツやタイツタイプにも適用できるのはもちろんである。
【符号の説明】
１…セーター
３ａ，３ｂ…襠
４…右袖
５…左袖
６…身頃
７…裾ゴム
８…右袖口
９…左袖口
１０…衿首用開口
１１ａ，１１ｂ…肩部
２１…第一編地
２２…第二編地
３１…第一編地
３２…第二編地
３３…第三編地
４１…パンツ
４２…右足部
４３…左足部
４５ａ，４５ｂ…襠
【図１】
2004094711.tif 000003
【図２】
2004094711.tif 000004
【図３】
2004094711.tif 000005
【図４】
2004094711.tif 000006
【図５】
2004094711.tif 000007
【図６】
2004094711.tif 000008
【図７】
2004094711.tif 000009
【図８】
2004094711.tif 000010
【図９】
2004094711.tif 000011
【図１０】
2004094711.tif 000012
【図１１】
2004094711.tif 000013
【図１２】
2004094711.tif 000014
【図１３】
2004094711.tif 000015
【図１４】
2004094711.tif 000016
【図１５】
2004094711.tif 000017
【図１６】
2004094711.tif 000018
【図１７】
2004094711.tif 000019
【図１８】
2004094711.tif 000020
【国際調査報告】
2004094711.tif 000021
2004094711.tif 000022